(57)【要約】【課題】より複雑な表現を可能とし、かつ光の反射の効果を高めることのできる装飾用シートを提供すること。【解決手段】装飾用シート１は、光を反射する粉状材２１を含む光反射シート２と、光反射シート２の上に積層される透明な透明シート３と、積層された光反射シート２及び透明シート３からなり、色彩が互いに異なる少なくとも２つの領域を有するシート積層体５の上に設けられ、少なくとも２つの領域に対応した互いに異なる色彩を有する複数の装飾部材４と、を備える。【選択図】図２
2010149387.tif 000002
【特許請求の範囲】
【請求項１】
光を反射する粉状材を含む光反射シートと、
前記光反射シートの上に積層される透明な透明シートと、
積層された前記光反射シート及び前記透明シートからなり、色彩が互いに異なる少なくとも２つの領域を有するシート積層体の上に設けられ、前記少なくとも２つの領域に対応した互いに異なる色彩を有する複数の装飾部材と、を備える装飾用シート。
【請求項２】
前記シート積層体は、前記少なくとも２つの領域のうちの一方の第１領域と、他方の第２領域と、前記第１領域及び前記第２領域との間に配置される境界部と、を備え、
前記装飾部材の一部は、前記境界部を避けて配置される請求項１に記載の装飾用シート。
【請求項３】
前記シート積層体は、前記少なくとも２つの領域のうちの一方の第１領域と、他方の第２領域と、前記第１領域及び前記第２領域との間に配置される境界部と、を備え、
前記装飾部材は、略円形の平らな底面と、該底面と反対側に膨出する凸部を備え、
前記装飾部材の一部は、前記底面の外径が前記境界部の幅と同じかより小さい場合には、前記境界部の上に載置されるように配置される請求項１に記載の装飾用シート。
【請求項４】
前記シート積層体は、前記少なくとも２つの領域のうちの一方の第１領域と、他方の第２領域と、前記第１領域及び前記第２領域との間の境界線と、を備え、
前記装飾部材は、略円形の平らな底面と、該底面と反対側に膨出する凸部を備え、
前記装飾部材の一部における前記底面の略中心は、前記境界線の上に載置されるように配置される請求項１に記載の装飾用シート。
【請求項５】
請求項１から４のいずれかに記載の装飾用シートを用いた装飾用シールであって、
前記装飾用シールは、輪郭線及び該輪郭線の内側に表される図柄を有する前記シート積層体により構成される表面部と、
前記表面部の上に前記輪郭線及び前記図柄に対応して設けられる前記装飾部材により構成される装飾部と、を備え、
前記表面部は、前記装飾部の外縁よりも内側となるように配置される装飾用シール。
【請求項６】
前記装飾部材は、略円形の平らな底面と、該底面と反対側に膨出する凸部を備え、
前記装飾部材の一部における前記底面の略中心は、前記輪郭線の上に載置されるように配置される請求項５に記載の装飾用シール。
【発明の詳細な説明】
【技術分野】
【０００１】
本発明は、装飾用シート及び装飾用シールに関する。具体的には、携帯電話などの物品に貼付して装飾する装飾用シート及び装飾用シールに関する。
【背景技術】
【０００２】
従来より、携帯電話や鏡など、身の回りの物品に貼付して装飾を施すための装飾用シートが知られている。装飾用シートは、基材となるシートの上に、装飾を施すための装飾部材を設け、このシートを物品に貼付するものである。
【０００３】
装飾用シートとしては、両面シールの上に装飾部材を設け、使用者が適宜切り取って用いる装飾用シートが提案されている（例えば、特許文献１参照）。この装飾用シートは、装飾部材が規則的に並べられるように構成されている。
【特許文献１】特開２００７−３１３７４８号公報
【発明の開示】
【発明が解決しようとする課題】
【０００４】
特許文献１に記載の装飾用シートは、使用者が自分で装飾部材を並べたり、切り取ったりして用いるものである。このため、例えば動物の顔などのような複雑な形状を表す装飾を、多数の色彩を用いて表現し、これと同一の形状を複数生産することは困難であった。また、基材となるシートが両面シールであるため、装飾部材に光を反射する部材を用いた場合であっても、装飾部材の光を反射する効果を高めることができなかった。
【０００５】
本発明は、より複雑な表現を可能とし、かつ光の反射の効果を高めることのできる装飾用シートを提供することを目的とする。
【課題を解決するための手段】
【０００６】
（１）  本発明の装飾用シートは、光を反射する粉状材を含む光反射シートと、前記光反射シートの上に積層される透明な透明シートと、積層された前記光反射シート及び前記透明シートからなり、色彩が互いに異なる少なくとも２つの領域を有するシート積層体の上に設けられ、前記少なくとも２つの領域に対応した互いに異なる色彩を有する複数の装飾部材と、を備える。
【０００７】
（２）  前記シート積層体は、前記少なくとも２つの領域のうちの一方の第１領域と、他方の第２領域と、前記第１領域及び前記第２領域との間に配置される境界部と、を備え、前記装飾部材の一部は、前記境界部を避けて配置されることが好ましい。
【０００８】
（３）  前記シート積層体は、前記少なくとも２つの領域のうちの一方の第１領域と、他方の第２領域と、前記第１領域及び前記第２領域との間に配置される境界部と、を備え、前記装飾部材は、略円形の平らな底面と、該底面と反対側に膨出する凸部を備え、前記装飾部材の一部は、前記底面の外径が前記境界部の幅と同じかより小さい場合には、前記境界部の上に載置されるように配置されることが好ましい。
【０００９】
（４）  前記シート積層体は、前記少なくとも２つの領域のうちの一方の第１領域と、他方の第２領域と、前記第１領域及び前記第２領域との間の境界線と、を備え、前記装飾部材は、略円形の平らな底面と、該底面と反対側に膨出する凸部を備え、前記装飾部材の一部における前記底面の略中心は、前記境界線の上に載置されるように配置されることが好ましい。
【００１０】
（５）  本発明の装飾用シールは、（１）から（４）のいずれかに記載の装飾用シートを用いた装飾用シールであって、前記装飾用シールは、輪郭線及び該輪郭線の内側に表される図柄を有する前記シート積層体により構成される表面部と、前記表面部の上に前記輪郭線及び前記図柄に対応して設けられる前記装飾部材により構成される装飾部と、を備え、前記表面部は、前記装飾部の外縁よりも内側となるように配置される。
【００１１】
（６）  前記装飾部材は、略円形の平らな底面と、該底面と反対側に膨出する凸部を備え、前記装飾部材の一部における前記底面の略中心は、前記輪郭線の上に載置されるように配置されることが好ましい。
【発明の効果】
【００１２】
本発明によれば、より複雑な表現を可能とし、かつ光の反射の効果を高めることのできる装飾用シートを提供することができる。
【発明を実施するための最良の形態】
【００１３】
以下、本発明の装飾用シート１及び装飾用シール１０の第１実施形態について具体的に説明する。図１は本実施形態の装飾用シート１の平面図である。図１において、装飾部材４は図示を省略している。図２は、本実施形態の装飾用シート１における装飾用シール１０部分の拡大平面図である。図３は、図２のＸ−Ｘ断面図である。図１に示すように、本実施形態の装飾用シート１は、装飾用シール１０が複数配置されたものである。図２及び図３に示すように、装飾用シール１０は、光反射シート２と、透明シート３と、光反射シート２及び透明シート３からなるシート積層体５と、複数の装飾部材４と、境界部７と、剥離紙６と、を備えている。
【００１４】
図１に示すように、装飾用シート１は、所定の輪郭線１５及び輪郭線１５の内側に表される図柄８を有する装飾用シール１０が繰り返し並んでいるシートである。複数の装飾部材４は、図柄８の上に載置されて接着されている。装飾用シール１０は、装飾用シート１に設けられた切り込み６１によって、他の部分と分離可能である。装飾用シール１０は、装飾用シート１から剥がして所望の物品に貼付できるように構成されている。
【００１５】
図２及び図３に示すように、装飾用シール１０は、積層された光反射シート２及び透明シート３からなるシート積層体５の上に、複数の装飾部材４を配置して接着したものである。シート積層体５には、輪郭線１５及び図柄８が、複数の色彩を付して印刷されている。この図柄８の中で、所定の色彩を付され区切られた空間を第１領域、第１領域と異なる色彩を施した領域を第２領域とした場合に、少なくともこれら２つの領域に対応した互いに異なる色彩を有する装飾部材４が、第１領域及び第２領域の上に配置されている。
【００１６】
図３に示すように、装飾用シール１０の一部を構成する光反射シート２は、剥離紙６の上に剥離可能に設けられている。光反射シート２は、塩化ビニルの層にアルミ金属粉、雲母片やパール顔料などの光を反射する粉状材２１を含む樹脂層が積層されたシートである。
【００１７】
透明シート３は、光反射シート２の上に積層されている。透明シート３は、透明樹脂からなる透明なシートであり、例えば塩化ビニルのシートである。光反射シート２に透明シート３が圧着されて積層されることにより、シート積層体５が形成される。
【００１８】
シート積層体５は、色彩が互いに異なる少なくとも２つの領域を有する。シート積層体５は、この少なくとも２つの領域のうちの一方の第１領域と、他方の第２領域と、第１領域及び第２領域との間に配置される境界部７と、を備える。また、シート積層体５は、第１領域及び第２領域との間の境界線１７と、を備える。境界部７及び境界線１７については、後述する。具体的には、シート積層体５の上に、少なくとも２つ以上の色彩を有する所望の図柄８及び輪郭線１５が印刷される。図柄８は特に限定されないが、本実施形態では、説明のため熊の顔を例として説明する。
【００１９】
装飾部材４は、複数の細かい粒状物で構成される。装飾部材４のそれぞれは、略円形の平らな底面４１と、底面４１と反対側に膨出する凸部４２を備える。凸部４２は、光を反射しやすいように多面にカットされている。また、装飾部材４のそれぞれは、着色されたものや、透明のものが適宜用いられる。
【００２０】
装飾部材４のそれぞれの寸法は、装飾用シール１０全体の大きさや、図柄８、配置する領域の面積などに応じて適宜選択される。携帯電話や鏡、カードケースのような比較的小さな身の回りの物品に装飾用シール１０が貼付される場合、装飾部材４のそれぞれの寸法は、例えば、底面４１の直径が１ｍｍ〜２ｍｍであり、好ましくは１．３５ｍｍ〜１．９ｍｍの範囲である。
【００２１】
装飾部材４は、シート積層体５の図柄８及び色彩に沿って配置され、接着される。例えば、シート積層体５における茶色の着色が付された第１領域１１に対応して、茶色の色調を有する装飾部材４が配置される。第１領域１１と異なる淡黄色の着色がなされた第２領域１２に対応して、淡黄色の色調を有する装飾部材４が配置される。本明細書において「対応して」とは、第１領域に付された着色と同系色であればよく、完全に同一の色でなくともよい。第１領域及び第２領域の色彩、装飾部材４の色彩には、透明である場合も含まれる。
【００２２】
境界部７は、第１領域１１と、第１領域１１に隣接する第２領域１２の間との間を区切る部分である。境界部７の一部は、第１領域１１及び第２領域のいずれとも異なる色彩を有している。例えば、境界部７は、黒い線状に表されている。
【００２３】
境界線１７は、第１領域と、第１領域と異なる色彩を付された第２領域とが、互いに隣接することにより形成される。
【００２４】
図２に示すように、シート積層体５に配置される装飾部材４の一部は、例えば、熊の顔の口元や目の部分に表されているように、境界部７を避けて配置されている。このため、目や口の表情が明確に表現されている。
【００２５】
なお、装飾部材４の外径が境界部７の幅よりも大きい場合には、境界部７を避けて配置することが好ましい。装飾部材４の外径が境界部７の幅と同じかそれよりも小さい場合には、装飾部材４を、境界部７の上に配置することができる。
【００２６】
一方、熊の頬の部分とリボンの部分との間の一方の領域と他方の領域との間には、これらの領域を区切る境界線１７が形成される。シート積層体５に配置される装飾部材４の一部における底面４１の略中心は、境界線１７の上に載置されるように配置されている。「略中心」とは、装飾部材４のそれぞれの正確な中心を含んだ周囲の領域を含む。この中心を含んだ周囲の領域は、装飾部材４の底面４１の外縁よりも内側の中心寄りに形成される。シート積層体５において、熊の頬は茶色で着色され、リボンはピンクで着色されている。このように、色彩のコントラストが明確であり、着色される面積が目や口元の境界部７と比べて大きい場合には、境界線１７の上に装飾部材４の底面４１の略中心を配置することにより、境界線１７が見えづらくなる。
【００２７】
装飾用シール１０は、シート積層体５に、輪郭線１５に沿って切り込み６１が設けられて形成される。シート積層体５は、輪郭線１５及び輪郭線１５の内側に表される図柄８を有し、装飾用シール１０の表面部５０を構成する。装飾部材４は、表面部５０の上に輪郭線１５及び図柄８に対応して設けられ、装飾用シール１０の装飾部４０を構成する。
【００２８】
剥離紙６は、紙などの基材にポリエチレンフィルムを積層し、この上にシリコン粘着材を塗布してシート積層体５を剥離できるよう構成したものである。
【００２９】
図４は、装飾用シール１０を剥離紙６から剥がした状態で裏から見た部分拡大平面図である。装飾部材４の一部は、その底面４１の略中心４３が輪郭線１５の上となるように載置されるように配置される。略中心４３は、装飾部材４の中心点Ｃを含んだ周辺の領域も含む。これにより、装飾部材４の外縁は、輪郭線１５よりも外側に延出する。このため、装飾用シール１０における表面部５０は、装飾部４０の外縁よりも内側となるように配置される。
【００３０】
以下、本実施形態による装飾用シート１の製造方法について説明する。
本実施形態による装飾用シート１は、まず、光を反射する粉状材２１を含む光反射シート２の上に透明シート３を積層して圧着させ、シート積層体５を形成する。このシート積層体５に、輪郭線１５及び図柄８を印刷する。光反射シート２の上に塩化ビニルの透明シート３を圧着させているので、印刷するインクや染料などが、光反射シート２に染み込まない。このため、印刷するインクや染料などが、明るく発色する。また、光反射シート２の上に塩化ビニルの透明シート３を圧着させているので、シート積層体５が、光沢を備える。このため、光反射シート２の粉状材２１は、透明シート３を介してより多く光を反射する。
【００３１】
シート積層体５に輪郭線１５及び図柄８を印刷する際、装飾用シール１０を剥離可能にするために、輪郭線１５に沿ってシート積層体５に切り込み６１を形成する。
【００３２】
次に、シート積層体５に接着剤を塗布する。接着剤が乾燥する前に輪郭線１５及び図柄８に沿って装飾部材４をシート積層体５に配置し、接着する。この図柄８は、色彩が互いに異なる少なくとも２つの領域を有する。装飾部材４のそれぞれは、シート積層体５に付された少なくとも２つの領域の色彩にそれぞれ対応した互いに異なる色彩を有する。例えば、第１領域１１の熊の頬の部分が茶色に着色されていた場合、第１領域１１には、第１領域１１に対応した茶系統の色彩の装飾部材４が配置される。第２領域１２の熊の口元の部分が淡黄色に着色されていた場合、第２領域１２には、第２領域１２に対応した淡黄色系統の色彩の装飾部材４が配置される。
【００３３】
シート積層体５に印刷された図柄８は、第１領域１１と第２領域１２との間に、第１領域１１及び第２領域１２と異なる色彩の境界部７を有している。境界部７は例えば黒色である。例えば口元などの細かな表現に境界部７を用いる場合、装飾部材４は、境界部７を避けて配置される。これにより、動物などのキャラクターの表情がより明確に見え、豊かな表現が可能となる。
【００３４】
平面視で略円形状の装飾部材４を、着色された一定の領域に配置したり、又は境界部７を避けて配置した場合、図２に示すように、装飾部材４とこれに隣り合う装飾部材４との間には、不定形の隙間が生じる。この隙間は、装飾部材４が配置されていない不配置領域５１である。しかしながら、本実施形態によれば、シート積層体５は光を反射する粉状材２１を含む光反射シート２と、これに圧着された透明シート３とを備える。このため、装飾部材４と装飾部材４との間に不配置領域５１が生じても、装飾部材４と同系色の着色がされた光反射シート２が、その不配置領域５１から視認されることとなる。
【００３５】
シート積層体５は、光反射シート２を透明シート３に圧着することにより、圧着されない場合よりも光沢を有し、明るい色彩で着色されている。このため、光反射シート２の粉状材２１は、透明シート３を光反射シート２に圧着しない場合よりもより多く光を反射する。このため、不配置領域５１に、装飾部材４を配置していないことが目立ちづらい。
【００３６】
また、シート積層体５に印刷された図柄８は、一の領域と他の領域とが異なる色彩を付されることにより形成される線状の境界線１７を有している。例えば、茶色で着色された熊の頬の領域とこれに隣接するピンクで着色されたリボンの領域のように、色彩のコントラストが明確で、面積も他の領域と比べて比較的大きいときは、装飾部材４は境界線１７上に配置することができる。
【００３７】
また、シート積層体５は、剥離紙６と剥離可能に接着されている。シート積層体５に輪郭線１５及び図柄８を印刷した後、シート積層体５には、切り込み６１が輪郭線１５に沿って形成される。これにより、装飾用シール１０のシート積層体５から構成される表面部５０が形成される。表面部５０に印刷された輪郭線１５及び図柄８に沿って、装飾部材４が配置され、装飾部４０が形成される。
【００３８】
このとき、表面部５０の輪郭線１５には、装飾部材４の中心点Ｃを含んだ周辺の領域の略中心４３が、輪郭線１５の上に載置されるように配置される。装飾部材４の中心点Ｃは、輪郭線１５の幅方向における中心に相当するように配置されることが好ましい。これにより、装飾部材４の外縁は、輪郭線１５よりも外側に延出し、表面部５０が、装飾部４０よりも内側となる。したがって、装飾用シール１０を輪郭線１５に沿って剥離紙６から剥がした場合に、装飾用シール１０を表から見ると、輪郭線１５が外縁に見えないようになる。このため、装飾用シール１０の外縁は装飾部材４のみが配置されるように見える。
【００３９】
なお、剥離紙６は、輪郭線１５に沿ってシート積層体５とともに切り込み６１を形成してもよいが、装飾用シール１０の台紙となるよう、装飾用シール１０を含んだ状態で所望の大きさに形成してよい。
【００４０】
次に、本実施形態の効果について説明する。
本実施形態によれば、光反射シート２の上に透明シート３を圧着してシート積層体５を構成した。また、シート積層体５を、色彩が互いに異なる少なくとも２つの領域を備え、この領域に付した色彩にそれぞれ対応した互いに異なる色彩を有する複数の装飾部材４を設けた。
少なくとも２色以上の色彩を用いて輪郭線１５及び図柄８を構成し、この図柄８の配色に対応した装飾部材４を配置するため、例えば動物などのようなキャラクターの表情を豊かに表現することが可能となる。
【００４１】
また、光反射シート２に透明シート３を圧着してシート積層体５を形成しているため、シート積層体５は光沢を有する。このため、透明シート３を光反射シート２に圧着しない場合と比べて、光反射シート２に含まれる粉状材２１は、より多く光を反射する。したがって、キラキラとした光輝感が得られ、光の反射の効果が高まる。
【００４２】
また、シート積層体５における着色された領域の色彩と、装飾部材４の色彩とは、対応している。シート積層体５は、光反射シート２に透明シート３を圧着して形成されているので、透明シート３を光反射シート２に圧着しない場合よりも鮮やかな色で印刷されている。したがって、所定の領域に装飾部材４を配置して、装飾部材４と装飾部材４との間に形成される隙間の不配置領域５１が生じても、装飾部材４が配置されていないことが目立ちづらい。加えて、シート積層体５は光を反射する粉状材２１を備えるため、隙間から粉状材２１が光を反射するので、装飾部材４が配置されていないことが目立ちづらい。
【００４３】
また、本実施形態によれば、色彩が互いに異なる一方の第１領域と、他方の第２領域との間に配置される境界部７を設け、装飾部材４を境界部７から避けて配置した。また、装飾部材４の外径が境界部７の幅と同じかそれよりも小さい場合には、装飾部材４を、境界部７の上に配置した。このため、目や口元などの細かな表現が可能となり、動物などのキャラクターの表情が豊かに表現できる。
【００４４】
また、本実施形態によれば、装飾部材４は、略円形の平らな底面４１と、底面４１と反対側に膨出する凸部４２とを備える。この装飾部材４を、色彩が互いに異なる一方の第１領域と、他方の第２領域との間の境界線１７の上に載置した。第１領域と第２領域との間の色彩のコントラストが大きかったり、それぞれの領域の面積が他の部分と比べて大きいときに、装飾部材４を境界線１７の上に載置するように配置すると、境界線１７が見えなくなり、装飾効果が高まる。
【００４５】
本実施形態によれば、装飾用シール１０に、輪郭線１５及び輪郭線１５の内側に表される図柄８を有する表面部５０と、この輪郭線１５及び図柄８に対応する装飾部材４を有する装飾部４０と、を設けた。また、装飾部材４における底面４１の略中心４３を、輪郭線１５の上に載置するように配置し、表面部５０を、装飾部４０の外縁よりも内側となるように配置した。このため、装飾用シール１０の外縁に輪郭線１５が見えないものとなるため、装飾効果が高まる。
【００４６】
本発明の実施形態は、上記の実施形態に何ら限定されることなく、本発明の技術的範囲は、これに限定されるものではない。
例えば、上記の実施形態では、装飾部材は略円形の平らな底面４１と、底面４１の反対側に膨出する凸部４２を含み、凸部４２は光を反射しやすいようにカットされた多面を備えるが、形状は特に限定されない。シート積層体５に載置して接着することができれば、底面４１が略円形である場合に限られず、また、スパンコールのような平面的な装飾部材であってもよい。
【００４７】
また、上記の実施形態では、熊の顔を例として説明しているが、色彩が互いに異なる少なくとも２つの領域を有するものであれば、図柄８は動物の顔に限定されるものではない。例えば、図柄８は、星形やハート形のような形状に、互いに異なる２色以上の領域で構成される模様を付したものであってもよい。
【図面の簡単な説明】
【００４８】
【図１】本実施形態に係る装飾用シートの平面図である。
【図２】本実施形態に係る装飾用シートにおける装飾用シール部分の拡大平面図である。
【図３】図２のＸ−Ｘ断面図である。
【図４】本実施形態に係る装飾用シールを裏から見た部分拡大平面図である。
【符号の説明】
【００４９】
１    装飾用シート
２    光反射シート
３    透明シート
４    装飾部材
５    シート積層体
７    境界部
８    図柄
１０  装飾用シール
１１  第１領域
１２  第２領域
１５  輪郭線
１７  境界線
４０  装飾部
４１  底面
４２  凸部
５０  表面部
【図１】
2010149387.tif 000003
【図２】
2010149387.tif 000004
【図３】
2010149387.tif 000005
【図４】
2010149387.tif 000006
【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
光を反射する粉状材を含む光反射シートと、
前記光反射シートの上に積層される透明な透明シートと、
略円形の平らな底面と、該底面と反対側に膨出する凸部を備える装飾部材を備え、
シート積層体は、積層された前記光反射シート及び前記透明シートからなり、当該透明シートに色彩が互いに異なる少なくとも２つの領域を有する図柄が設けられ、
当該装飾部材は当該シート積層体の上に設けられ、前記各領域の色彩と同系色の色彩を有することを特徴とする
装飾用シート。
【請求項２】
前記シート積層体は、前記少なくとも２つの領域のうちの一方の第１領域と、他方の第２領域と、前記第１領域及び前記第２領域との間に配置される境界部と、を備え、
前記装飾部材は、前記底面の外径が前記境界部の幅より大きい場合には、前記境界部を避けて配置される請求項１に記載の装飾用シート。
【請求項３】
前記シート積層体は、前記少なくとも２つの領域のうちの一方の第１領域と、他方の第２領域と、前記第１領域及び前記第２領域との間に配置される境界部と、を備え、
前記装飾部材の一部は、前記底面の外径が前記境界部の幅と同じかより小さい場合には、前記境界部の上に載置されるように配置される請求項１に記載の装飾用シート。
【請求項４】
前記シート積層体は、前記少なくとも２つの領域のうちの一方の第１領域と、他方の第２領域と、前記第１領域及び前記第２領域との間の境界線と、を備え、
前記第１領域と前記第２領域の色彩のコントラストが明確である場合には、前記装飾部材の前記底面の略中心は、前記境界線の上に載置されるように配置される請求項１に記載の装飾用シート。
【請求項５】
請求項１から４のいずれかに記載の装飾用シートを用いた装飾用シールであって、
前記装飾用シールは、輪郭線及び該輪郭線の内側に表される図柄を有する前記シート積層体により構成される表面部と、
前記表面部の上に前記輪郭線及び前記図柄に対応して設けられる前記装飾部材により構成される装飾部と、を備え、
前記表面部は、前記装飾部の外縁よりも内側となるように配置される装飾用シール。
【請求項６】
前記装飾部材の一部における前記底面の略中心は、前記輪郭線の上に載置されるように配置される請求項５に記載の装飾用シール。